(57)【特許請求の範囲】
【請求項１】
ストラップと、該ストラップを巻き取るためのストラップ巻取ドラムと、該ストラップ巻取ドラムに巻取方向の付勢を付与する駆動バネと、前記ストラップを出入両方向に対して固定する固定機構を有する携帯保持具において、
前記ストラップ巻取ドラムは、ケースに対して回転自在に設けられ、
前記駆動バネは、前記ストラップ巻取ドラムの内側に取り付けられており、
前記ストラップは、その両端が別々の引き出し口から前記ケース内に導入されて、前記ストラップ巻取ドラムに取り付けられ、前記ストラップ巻取ドラムに巻き取られていることを特徴とする携帯保持具。
【発明の詳細な説明】
【０００１】
【発明の属する技術分野】
本発明は、人が携帯することができる小型機器を、肩，首や手首等に掛けるための携帯保持具に関するものである。
【０００２】
【従来の技術】
人が携帯することができる小型機器、例えば、カメラ、テープレコーダ、ビデオカメラ等を持ち運ぶ場合、これらにストラップを付けることが行なわれている。ストラップは、皮や合成樹脂で作られた紐状のものであり、掛ける部位に応じて長さが異なる。一般的には、肩や首に掛けるショルダーストラップは、長さの長いものが用いられ、手首に掛けるハンドストラップは、長さが短いものが用いられる。いずれにおいても、ユーザの体格や、掛けたときの位置に適するように、長さが調整できるようにされているのが普通である。
【０００３】
図１４は、従来から用いられているショルダーストラップの一例を示すもので、ストラップをカメラに取り付けた状態の斜視図である。図中、２はストラップ、４はカメラ、１６は長さ調節用金具である。ストラップ２は、カメラ４に取り付けられ、一端側は折り返されて長さ調節用金具１６に留められ、長さ調節用金具１６の位置を移動することにより、長さが調節できるようにされている。
【０００４】
このような従来のストラップでは、長さ調節用金具の移動が簡単でなく、煩わしさを感じるものである。また、最短の長さに調節しても、最大限ストラップの長さの半分の長さまでであり、ハンドストラップ程度の長さに調節することができないという問題がある。
【０００５】
さらに、ストラップは、携帯時には必要であるが、機器を使用するときには不必要であることが多い。そればかりでなく、カメラに用いた場合などには、撮影時には、ストラップが邪魔となることがあり、撮影視野にストラップが入らないように注意をしなければならないという問題もある。
【０００６】
【発明が解決しようとする課題】
本件は、上述した事情に鑑みてなされたもので、ストラップを自動的に巻き込むことができ、ストラップの長さの調節が容易であり、調節範囲も広い携帯保持具を提供することを目的とするものである。
【０００７】
【課題を解決するための手段】
請求項１に記載の発明は、ストラップと、該ストラップを巻き取るためのストラップ巻取ドラムと、該ストラップ巻取ドラムに巻取方向の付勢を付与する駆動バネと、前記ストラップを出入両方向に対して固定する固定機構を有する携帯保持具において、前記ストラップ巻取ドラムは、ケースに対して回転自在に設けられ、前記駆動バネは、前記ストラップ巻取ドラムの内側に取り付けられており、前記ストラップは、その両端が別々の引き出し口から前記ケース内に導入されて、前記ストラップ巻取ドラムに取り付けられ、前記ストラップ巻取ドラムに巻き取られていることを特徴とするものである。
【００１３】
【発明の実施の形態】
図１は、本発明の携帯保持具の実施の形態の一例を説明するための斜視図である。図中、１は携帯保持具、２はストラップ、３は係止部材、４はカメラである。携帯保持具１は、係止部材３によってカメラ４に着脱可能に取り付けられており、収納するストラップ２が図示しない駆動バネにより巻き込まれている。ストラップ２を手で引き出すことによって、肩や首、あるいは手首に掛けることができる。
【００１４】
図１（Ａ）は、ストラップ２をやや短め、例えば１５ｃｍ程度に引き出して固定した状態であり、ハンドストラップとして使用できる。図１（Ｂ）は、ストラップ２を長め、例えば５０ｃｍ程度に引き出して固定した状態であり、ショルダーストラップとして使用する。図１（Ｃ）は、ストラップ２の固定機構を外して、ストラップ２を内蔵する駆動バネにより巻き込んだ状態であり、ストラップをコンパクトにまとめることが可能となるばかりでなく、小型機器の使用時にストラップが邪魔になることはない。例えば、カメラに用いた場合には、撮影時に、ストラップ２がレンズの視野に入って、邪魔をするようなことはない。
【００１５】
ストラップ２の固定機構としては、ストラップ２を巻き込んでいるストラップ巻取ドラムを固定する機構や、ストラップ２自体を押さえ部材で押さえつけて移動できないようにして固定する機構等、適宜の固定機構が採用できる。
【００１６】
また、この実施の形態では、携帯保持具１を携帯機器に着脱可能に取り付けられるようにしたが、固定するようにしてもよく、あるいは、携帯する小型機器の本体に一体的に組み込むようにしてもよい。組み込むようにした場合は、携帯保持具をケースから別体として付属させる必要はなく、小型機器のケースの一部を携帯保持具のケースに利用することが可能である。
【００１７】
ストラップの収納状態の実施の形態を説明する。基本的な構成は、ストラップを巻き取るストラップ巻取ドラムと、巻取方向にストラップ巻取ドラムを付勢する駆動バネが必要である。
【００１８】
図２〜図５は、本発明の実施の形態におけるストラップ巻取ドラムと駆動バネとの配置関係の実施例を説明するための構成図である。なお、これらの図では、ストラップの固定機構については考慮されていない。
【００１９】
図２は、第１の実施例を説明するためのものであり、図２（Ａ）は上ケースを外した状態の平面図、図２（Ｂ）は断面図である。図中、１は携帯保持具、２はストラップ、３は係止部材、５ａは上ケース、５ｂは下ケース、５ｃは軸、６はストラップ巻取ドラム、７は駆動バネである。この例では、ケースは上ケース５ａと下ケース５ｂの２つの部材として構成され、上ケース５ａに設けられた軸５ｃが下ケース５ｂに嵌合して、接着やネジ止め等による固定方法で一体化されている。ストラップ２を巻き取るストラップ巻取ドラム６も２つの部材で構成されている。もちろん、１つの部材で一体的に成形されてもよい。ストラップ巻取ドラム６は、上ケース５ａと下ケース５ｂの中心付近に軸５ｃと同心に形成された段部を軸として、ケースに対して回転自在に設けられている。駆動バネ７は、一端が軸５ｃに形成された溝に取り付けられ、他端はストラップ巻取ドラム６の内側に取り付けられている。ストラップ２は、一端がケースに取り付けられ、他端はケースの引き出し口からケース内に引き込まれ、ストラップ巻取ドラム６に取り付けられている。このような構成は、基本的には、巻き尺と同じである。
【００２０】
ストラップ２は、ストラップ巻取ドラム６に巻き込まれている。ストラップ２を引き出し口から引き出すと、駆動バネ７が蓄勢される。所望する長さに引き出した状態で、図示しない固定機構によりストラップ２を固定する。引き出したストラップ２は、図１で説明したように、係止部材３で取り付けた小型機器に対するハンドストラップやショルダーストラップとして使用することができる。固定機構を解除することにより、ストラップ２は駆動バネ７の蓄勢力によってストラップ巻取ドラム６に自動的に巻き込まれ、ケース内に収納される。
【００２１】
図３は、第２の実施例を説明するためのものであり、図３（Ａ）は上ケースを外した状態の平面図、図３（Ｂ）は断面図である。図２と同様な部分には同じ符号を付して説明を省略する。この例では、ストラップ２の両端がストラップ巻取ドラム６に取り付けられている。したがって、ストラップ２は折り返されたような形で別々の引き出し口からケース内に導入され、ストラップ巻取ドラム６に巻き取られる。
【００２２】
この例では、ストラップ２を２重に重ねて巻き取ることにより、巻き取るために必要な巻き取り回転数を著しく減少させることができる。したがって、第１の実施例に比べて、駆動バネの長さを短くでき、また、駆動バネの周動スペースが小さくでき、ストラップの巻き出しの径が小さくできるから、製品の大きさを、第１の実施例に比べ小さくすることが可能となる。
【００２３】
図４は、第３の実施例を説明するためのものであり、図４（Ａ）は上ケースを外した状態の平面図、図４（Ｂ）は断面図である。図２と同様な部分には同じ符号を付して説明を省略する。この例では、ストラップ巻取ドラム６と駆動バネ７を上下に配置した。
【００２４】
第１および第２の実施例では、駆動バネ７の周動スペースを、ストラップ巻取ドラム６の内側に確保しているから、ストラップ巻取ドラム６の外径が大きく、製品の大きさを大きくしている。この例では、駆動バネ７の周動スペースと、ストラップ２の巻き取りスペースを並列にとることにより、製品の厚みは厚くはなるが、表面サイズを小さくすることが可能となる。
【００２５】
図５は、第４の実施例を説明するためのものであり、図５（Ａ）は上ケースを外した状態の平面図、図５（Ｂ）は断面図である。図２と同様な部分には同じ符号を付して説明を省略する。８はガイドローラである。この例では、ストラップ２の両端をそれぞれ別々のストラップ巻取ドラムに取り付けて２つのストラップ巻取ドラム６に巻き取るようにした。ストラップ２の両端側は、それぞれガイドローラ８を介して、左右のストラップ巻取ドラム６に巻き取られている。２つのストラップ巻取ドラム６の回転方向は、同じ方向であるが、反対の回転方向となるようにストラップ２をストラップ巻取ドラム６に巻き取るようにしてもよい。
【００２６】
この例では、ストラップ巻取ドラム１つ当たりのストラップの巻き取り長さが半分となるため、巻き取りに必要な回転数が減少し、駆動バネの周動スペースを小さくすることができる。したがって、ストラップ材の巻き出しの径が小さくなり、その上、ストラップ巻取ドラム１つ当たりが巻き込むストラップの長さが短いので、厚みを厚くすることなく、幅を細くし握りやすい形状にすることが可能である。
【００２７】
図６，図７は、第５の実施例を説明するためのものであり、図６（Ａ）は下ケースを外した状態の底面図、図６（Ｂ）は断面図、図７（Ａ）は下ケースの平面図、図７（Ｂ）は駆動バネ押さえ板の平面図である。図２，図５と同様な部分には同じ符号を付して説明を省略する。５ｄは上部支持軸、５ｅは下部支持軸、６ａは軸穴、６ｂは嵌合溝、６ｃはスリット、７ａは駆動バネ用ドラム、７ｂは駆動バネ押さえ板、９はストッパー、９ａはボスである。なお、図６（Ａ）の底面図において、左側のストラップ巻取ドラム６は、ドラムの底面を見た状態を図示しており、ストラップ２の取付を容易にするためのスリット６ｃが見える。右側のストラップ巻取ドラム６は断面を示している。また、駆動バネ用ドラム７ａは駆動バネ押さえ板７ｂを外した状態を図示している。
【００２８】
この例では、第４の実施例と同様に、ストラップ２の両端をそれぞれ別々のストラップ巻取ドラム６に取り付けて２つのストラップ巻取ドラム６に巻き取るようにした。駆動バネ７は、２つのストラップ巻取ドラム６の間に配置されており、これらは歯車で連動するように噛み合わされている。ストラップ巻取ドラム６は、周面にストラップ２を巻き取るための溝が設けられ、その上面の中心部には円形に開けられた軸穴６ａが設けられており、上ケースに設けられた上部支持軸５ｄにより支持されている。また、ストラップ巻取ドラム６の下側の中心部に開けられた穴は、下ケース５ｂに形成された下部支持軸５ｅにより支持され、ストラップ巻取ドラム６が、上部支持軸５ｄと下部支持軸５ｅによって、上下からケースに対して回転可能に支持されている。ストラップ巻取ドラム６の鍔部には歯車が形成されている。
【００２９】
駆動バネ７は、一端が上ケース５ａに設けられた軸５ｃの溝に取り付けられ、他端は駆動用バネドラム７ａに取り付けられている。駆動バネ用ドラム７ａの周囲にも歯車が設けられ、２つのストラップ巻取ドラム６の歯車に噛み合っている。
【００３０】
図６（Ａ）における上下のストラップ２を左側に引き出すことによって、２つのストラップ巻取ドラム６はともに反時計方向に回転し、その回転は、ともに駆動バネ用ドラム７ａを時計方向に回転させて、駆動バネ７を蓄勢する。ストラップ２の収納時は、駆動バネ７の蓄勢力によって駆動バネ用ドラム７ａが反時計方向に回転され、歯車によって２つのストラップ巻取ドラム６を時計方向に回転させて、ストラップ２を巻き取ることができる。
【００３１】
この実施例では、ストラップの巻き出しの径を、駆動バネの周動スペースに左右されずに小さくすることが可能となり、第４の実施例のケースサイズより長手方向は大きくはなるが、幅を細くすることができ、また駆動バネを１つに削減することができる利点がある。
【００３２】
ストラップの固定機構については、図２〜図５では図示されていない。図６では、ストラップ巻取ドラムを固定するためのストッパーを図示した。
【００３３】
以下に、図６におけるストッパーについて、図８〜図１１を参照して説明する。図中、図６，図７と同様な部分には同じ符号を付して説明を省略する。５ｆはボス挿入孔、１０はバネである。
【００３４】
図８は、上ケースの表面を上から見た平面図である。ストッパー９は、上ケース５ａに摺動可能に取り付けられており、ストラップ巻取ドラムを固定した状態（以下、「固定時」という。）では、図８（Ａ）の位置にある。また、ストラップ巻取ドラムの固定を解除した状態（以下、「解除時」という。）では、その表面に付けた矢印の方向に指で押されて、図８（Ｂ）の位置をとる。後述するように、ストッパー９は、バネで図の左方向に押されているから、図８（Ｂ）に位置にあるときに指を離せば、ストッパー９には、図８（Ａ）の位置に戻ろうとする力が働いている。ストッパー９の表面には、指が滑らないようにするために、凹凸を設けるのがよい。図では、ストライプ状の凹凸を設けたが、凹凸の形状は、これな限らず、点状など、適宜の形状でよい。ゴムのように、摩擦係数の大きい材料を表面に貼り付けてもよい。
【００３５】
図９は、上ケースとストッパーを外した状態の平面図である。ストラップ巻取ドラム６の中心部には軸穴６ａが設けられており、その周囲に嵌合溝６ｂが設けられている。嵌合溝６ｂは、１つ以上あればよい。この実施例では、４つ設けられている。この嵌合溝にストッパー９のボスが嵌合することによって、ストラップ巻取ドラムを固定することができる。２つのストラップ巻取ドラム６は駆動バネ用ドラム７ａに設けられたギアにより連動されているから、両方のストラップ巻取ドラム６の嵌合溝は、同期して回転し、常に同一の角度位置をとる。
【００３６】
図１０は、固定時のボスの位置を説明するためのものであり、図１０（Ａ）は上ケースを見た底面図、図１０（Ｂ）は図８（Ａ）のＡ−Ａ線断面図である。なお、図１０（Ａ）における歯車は、位置関係を分かりやすくするために図示したものである。ストッパー９は、ケース内部に内蔵されたバネ１０により、ケースの左側に押し付けられている。この状態では、ストッパー９のボス９ａが、ボス挿入孔５ｆの左側に移動して図９で説明した嵌合溝６ｂに位置し、ストラップ巻取ドラム６の回転を阻止している。したがって、ストラップは、引き出された位置で固定される。なお、嵌合溝６ｂが図１０（Ａ）のように対称的に設けられている場合には、図１０（Ｂ）においては、軸穴の右側にも見えるが、固定動作を分かりやすくするため、図では、ボス９ａが係合している嵌合溝のみを図示した。
【００３７】
図１１は、解除時のボスの位置を説明するためのものであり、図１１（Ａ）は上ケースを見た底面図、図１１（Ｂ）は図８（Ｂ）のＢ−Ｂ線断面図である。なお、図１１（Ａ）における歯車も、位置関係を分かりやすくするために図示したものである。図８（Ｂ）で説明したように、解除時には、ストッパーは内部に内蔵されたバネ１０に抗して指先で押され、ケースの右側に押し付けられる。この状態では、ストッパー９のボス９ａが、ボス挿入孔５ｆの右側に移動して、上部支持軸５ｄの中に入り込む。この状態では、ストラップ巻取ドラム６は回転が自由であるから、ストラップ２の巻き取り、引き出しを行なうことができる。
【００３８】
なお、ストラップの材料としては、ナイロン、テトロン、ポリエチレン等の合成樹脂を用いることができる。一例では、厚さが０．５ｍｍ、幅が５ｍｍのナイロンのテープを用いた。長さは適当でよいが、最大の吊り長さを６５ｃｍ程度とすれば、１３０ｃｍ程度の長さが必要である。
【００３９】
図８〜図１１で説明した固定機構は、第５の実施例に用いたものとして説明したが、他の実施例にも適用することができる。また、ストラップ巻取ドラムを固定する機構としては、上記固定機構に限られるものではなく、ストラップ巻取ドラムの回転を阻止できる機構であればよい。
【００４０】
また、ストラップ巻取ドラムを固定する代わりに、ストラップを挟み込んで固定する機構を採用してもよい。
【００４１】
図１２は、固定機構の他の実施例の説明図である。図中、２はストラップ、１１は固定部材、１２は押圧部材、１３は操作レバー、１４は回動軸である。固定部材１１は、ケースの一部などを利用でき、ストラップ２の出入口近傍など、ストラップ２が通る通路の一部に設けられる。固定部材１１の表面は、ストラップ２に曲げを与えることができる程度の凹凸を設けるのがよい。もちろん、凹凸を設けることなく平面状でもよい。押圧部材１２は、固定部材１１の表面の凹凸に対応した凹凸を設けるのがよい。操作レバー１３の基部には、偏心したカム面が形成されており、操作レバー１３を回動軸１４を軸として回動させることによってストラップ２を固定することができる。回動させた操作レバー１３を戻す方向に回動させることによって、ストラップ２の固定を解除することができる。
図１３は、ガイドローラの好ましい形状を示す説明図である。図中、８はガイドローラ、８ａは鍔部、１５は固定部材である。ガイドローラ８の両側部に鍔部８ａを形成し、固定部材１５との間にストラップが通過できる程度の隙間を持たせる。これにより、ストラップにねじれを与えることなくストラップ巻取ドラムに巻き込むことができる。ストラップの出入口をスリット状にしておくことによっても、ストラップにねじれを与えることなくストラップ巻取ドラムに巻き込むことができる。
【００４２】
【発明の効果】
以上の説明から明らかなように、本発明によれば、ストラップを自動的に巻き込むことができ、ストラップの長さの調節が容易であり、調節範囲も広い携帯保持具であって、ストラップは、その両端が別々の引き出し口からケース内に導入されて、ストラップ巻取ドラムに取り付けられているから、巻き取るために必要な巻き取り回転数を減少させることができ、ストラップ巻取ドラムの内側に取り付けられる駆動バネの長さを短くでき、また、駆動バネの周動スペースが小さくでき、ストラップの巻き出しの径が小さくできるから、製品の大きさを小さくすることができるという効果がある。
【図面の簡単な説明】
【図１】本発明の携帯保持具の実施の形態の一例を説明するための斜視図である。
【図２】第１の実施例を説明するためのものであり、図２（Ａ）は上ケースを外した状態の平面図、図２（Ｂ）は断面図である。
【図３】第２の実施例を説明するためのものであり、図３（Ａ）は上ケースを外した状態の平面図、図３（Ｂ）は断面図である。
【図４】第３の実施例を説明するためのものであり、図４（Ａ）は上ケースを外した状態の平面図、図４（Ｂ）は断面図である。
【図５】第４の実施例を説明するためのものであり、図４（Ａ）は上ケースを外した状態の平面図、図４（Ｂ）は断面図である。
【図６】第５の実施例を説明するためのものであり、図６（Ａ）は下ケースを外した状態の底面図、図６（Ｂ）は断面図である。
【図７】第５の実施例を説明するためのものであり、図７（Ａ）は下ケースの平面図、図７（Ｂ）は駆動バネ押さえ板の平面図である。
【図８】第５の実施例の上ケースの表面を上から見た平面図である。
【図９】第５の実施例の上ケースとストッパーを外した状態の平面図である。
【図１０】第５の実施例の固定時のボスの位置を説明するためのものであり、図１０（Ａ）は上ケースを見た底面図、図１０（Ｂ）は図８（Ａ）のＡ−Ａ線断面図である。
【図１１】第５の実施例の解除時のボスの位置を説明するためのものであり、図１１（Ａ）は上ケースを見た底面図、図１１（Ｂ）は図８（Ｂ）のＢ−Ｂ線断面図である。
【図１２】固定機構の他の実施例の説明図である。
【図１３】ガイドローラの好ましい形状を示す説明図である。
【図１４】従来から用いられているショルダーストラップの一例を示すもので、ストラップをカメラに取り付けた状態の斜視図である。
【符号の説明】
１…携帯保持具、２…ストラップ、３…係止部材、４…カメラ、５ａ…上ケース、５ｂ…下ケース、５ｃ…軸、５ｄ…上部支持軸、５ｅ…下部支持軸、５ｆ…ボス挿入孔、６…ストラップ巻取ドラム、６ａ…軸穴、６ｂ…嵌合溝、６ｃ…スリット、７…駆動バネ、７ａ…駆動バネ用ドラム、７ｂ…駆動バネ押さえ板、８…ガイドローラ、８ａ…鍔部、９…ストッパー、９ａ…ボス、１０…バネ、１１…固定部材、１２…押圧部材、１３…操作レバー、１４…回動軸、１５…固定部材。
【図１】
0003778306.tif 000002
【図２】
0003778306.tif 000003
【図３】
0003778306.tif 000004
【図４】
0003778306.tif 000005
【図５】
0003778306.tif 000006
【図６】
0003778306.tif 000007
【図７】
0003778306.tif 000008
【図８】
0003778306.tif 000009
【図９】
0003778306.tif 000010
【図１０】
0003778306.tif 000011
【図１１】
0003778306.tif 000012
【図１２】
0003778306.tif 000013
【図１３】
0003778306.tif 000014
【図１４】
0003778306.tif 000015